(57)【要約】【課題】外側面に貼り付けるメッシュシート、防音シート、防音パネル等の養生膜体の納まりが良く、枠組足場の割付けに合わせて容易に美しく貼り付けることができ、しかも、縦一列の建枠を省略でき、建地枠つなぎ、ダブルベースジャッキ、単管の余剰長さ部分の裁断も不要で、施工性に優れたコーナー用枠組足場を提供する。【解決手段】平面視において互に直角に交差する枠組足場Ａ、Ｂのうち、一方向の枠組足場Ａにおける端部の建枠ａと端部から二つ目の建枠１ｂに、直角方向の枠組足場Ｂにおける端部のブレース２Ｂを固定し、且つ、端部の床付き布枠３Ｂを前記一方向の枠組足場における端部の建枠と端部から二つ目の建枠間に架設した布枠受材４で支持して、建物の出隅部又は入隅部に沿って組み立てられるコーナー用枠組足場を構成する。【選択図】図２
0003155968.tif 000002
【実用新案登録請求の範囲】
【請求項１】
建物の出隅部又は入隅部に沿って組み立てられるコーナー用枠組足場であって、平面視において互に直角に交差する枠組足場のうち、一方向の枠組足場における端部の建枠と端部から二つ目の建枠に、直角方向の枠組足場における端部のブレースを固定し、且つ、端部の床付き布枠を前記一方向の枠組足場における端部の建枠と端部から二つ目の建枠間に架設した布枠受材で支持したことを特徴とするコーナー用枠組足場。
【請求項２】
請求項１に記載のコーナー用枠組足場であって、前記布枠受材に補助布板を係止させて、前記布枠受材と一方向の枠組足場における床付き布枠との隙間を閉塞してあることを特徴とするコーナー用枠組足場。
【請求項３】
請求項１又は２に記載のコーナー用枠組足場に用いる建枠であって、相対向する２本の支柱部分の横側面の上下二箇所に、当該支柱部分の内側面の上下二箇所に相対向して突設されたブレース固定用ピンと同一レベルで且つ当該ブレース固定用ピンとは直角方向に突出したブレース固定用ピンを増設してあることを特徴とする枠組足場用建枠。
【考案の詳細な説明】
【技術分野】
【０００１】
本考案は、建物の出隅部又は入隅部に沿って組み立てられるコーナー用枠組足場とそれに用いる枠組足場用建枠に関する。
【背景技術】
【０００２】
従来、建物の出隅部又は入隅部に沿って組み立てられるコーナー用枠組足場としては、次の二つの形式のものが用いられていた。その一つは、図７、図８に示すように、平面視において互に直角に交差する枠組足場Ａ、Ｂのうち、一方向の枠組足場Ａにおける端部の建枠１ａ及び端部から二つ目の建枠１ｂと、直角方向の枠組足場Ｂにおける端部の建枠１ｄとを、既製の建地枠つなぎ９で連結するものである。
【０００３】
他の一つは、図１０、図１１に示すように、平面視において互に直角に交差する枠組足場Ａ、Ｂのうち、一方向の枠組足場Ａにおける端部の建枠１ａ及び端部から二つ目の建枠１ｂと、直角方向の枠組足場Ｂにおける端部の建枠１ｄとを、単管１０とクランプ１１によって連結するものである。
【０００４】
７は端部の建枠１ｄにおける水平杆に係止させた補助布板であり、建地枠つなぎ９や、単管１０及びクランプ１１で連結された建枠間の隙間を閉塞している。６は既製のベースジャッキであり、１４０ｍｍ角のベースプレートとその上に立設されたねじ軸と、ハンドル付きナット部材とで構成されている。図９の（Ｂ）に示す１２は互に直角な二方向の枠組足場の建枠の柱脚部に設けた既製のダブルベースジャッキである。既製の建地枠つなぎ９は、図９の（Ａ）に示すように、長さ１７０ｍｍの直杆とその両端に取り付けた一対のクランプとで構成されており、クランプの芯々間の距離Ｌが１２０ｍｍである。従って、建地枠つなぎ９で連結された建枠の芯々間の距離Ｌも１２０ｍｍとなり、通常のベースジャッキを２個並べると、ベースプレート同士が重なり合うことになるので、クランプの芯々間の距離Ｌを１２０ｍｍとしたダブルベースジャッキ１２が用いられているのである。
【０００５】
ところで、枠組足場Ａ、Ｂの外側面（建物とは反対側の面）には、工具等の飛来落下を防止するメッシュシート、防音シート、防音パネル等々の養生膜体（図示せず）が貼り付けられているが、養生膜体の既製品の幅は６００〜１８００ｍｍであり、３００ｍｍ単位とされている。同様に、床付き布枠、ブレース等の枠組足場用部材の寸法も３００ｍｍ単位となっている。
【０００６】
従って、図７、図８に示した建地枠つなぎ９を用いるコーナー用枠組足場では、建地枠つなぎ９で連結された建枠の芯々間の距離Ｌが１２０ｍｍであり、養生膜体の割付けと合わないから、納まりが悪く、芯々間の距離Ｌに合わせて１２０ｍｍ幅に切断した特殊サイズの養生膜体を使用するか、養生膜体の余分な幅部分を折り畳んで、枠組足場Ａ、Ｂの割付けに合わせることになる。そのため、施工性が悪いだけでなく、外観的にも非常に体裁が悪い。
【０００７】
この点、図１０、図１１に示した単管１０とクランプ１１を用いるコーナー用枠組足場では、クランプ１０の芯々間の距離Ｌを３００ｍｍとすることによって、養生膜体の割付けが容易になる反面、単管１０の余剰長さ部分が建物に対する緒作業の邪魔になり、或いは、単管９の余剰長さ部分の裁断が必要になるといった問題が生じることになる。
【０００８】
尚、平面視において互に直角に交差する枠組足場のコーナー部分に、それに隣接する一般部分の建枠よりも幅広のコーナー用建枠を一般部分の建枠に対して夫々４５度の角度を
もって配置したコーナー用枠組足場が特許文献１によって提案されている。
【０００９】
このコーナー用枠組足場は、互に直角に交差する枠組足場の幅が同一である場合、養生膜体の割付けが容易であり、枠組足場の部材数も少なくて済むと思われる。しかしながら、このコーナー用枠組足場では、平面視において互に直角に交差する枠組足場の幅が互に異なる場合、一般部分の建枠に対して傾斜させるコーナー用建枠の角度や幅を変える必要があるので、寸法の異なる何種類ものコーナー用建枠が必要であり、これに伴って、端部の傾斜角度が異なる何種類もの床付き布枠や長さの異なる何種類ものブレースが必要になり、実用的ではない。
【先行技術文献】
【特許文献】
【００１０】
【特許文献１】特開平１０−１０２７６０号公報
【考案の概要】
【考案が解決しようとする課題】
【００１１】
本考案は、上記の問題点を踏まえて成されたものであって、その目的とするところは、外側面に貼り付けるメッシュシート、防音シート、防音パネル等々の養生膜体の納まりが良く、枠組足場の割付けに合わせて容易に美しく貼り付けることができ、しかも、縦一列の建枠を省略でき、建地枠つなぎ、ダブルベースジャッキ、単管の余剰長さ部分の裁断も不要で、施工性に優れたコーナー用枠組足場を提供することにある。
【課題を解決するための手段】
【００１２】
上記の目的を達成するために本考案が講じた技術的手段は、次のとおりである。即ち、請求項１に記載の考案は、建物の出隅部又は入隅部に沿って組み立てられるコーナー用枠組足場であって、平面視において互に直角に交差する枠組足場のうち、一方向の枠組足場における端部の建枠と端部から二つ目の建枠に、直角方向の枠組足場における端部のブレースを固定し、且つ、端部の床付き布枠を前記一方向の枠組足場における端部の建枠と端部から二つ目の建枠間に架設した布枠受材で支持したことを特徴としている。
【００１３】
請求項２に記載の考案は、請求項１に記載のコーナー用枠組足場であって、前記布枠受材に補助布板を係止させて、前記布枠受材と一方向の枠組足場における床付き布枠との隙間を閉塞してあることを特徴としている。
【００１４】
請求項３に記載の考案は、請求項１又は２に記載のコーナー用枠組足場に用いる建枠であって、相対向する２本の支柱部分の横側面の上下二箇所に、当該支柱部分の内側面の上下二箇所に相対向して突設されたブレース固定用ピンと同一レベルで且つ当該ブレース固定用ピンとは直角方向に突出したブレース固定用ピンを増設してあることを特徴としている。
【考案の効果】
【００１５】
請求項１に記載の考案によれば、平面視において互に直角に交差する枠組足場のうち、一方向の枠組足場における端部の建枠と端部から二つ目の建枠に、直角方向の枠組足場における端部のブレースを固定し、且つ、端部の床付き布枠を前記一方向の枠組足場における端部の建枠と端部から二つ目の建枠間に架設した布枠受材で支持したので、互に直角に交差する枠組足場が隙間なく連続することになる。
【００１６】
従って、外側面に貼り付けるメッシュシート、防音シート、防音パネル等々の養生膜体の納まりが良く、枠組足場の割付けに合わせて容易に美しく貼り付けることができきる。
【００１７】
しかも、直角方向の枠組足場における端部の縦一列の建枠が省略されることになり、建地枠つなぎ、ダブルベースジャッキ、単管の余剰長さ部分の裁断も不要であり、養生膜体の割付けが容易であることと相俟って、組立・解体の工数が減少し、施工性を著しく向上させることができる。従って、出隅部と入隅部の多い複雑な平面形状の建物においては、特に有効である。
【００１８】
請求項２に記載の考案によれば、前記布枠受材に補助布板を係止させて、前記布枠受材と一方向の枠組足場における床付き布枠との隙間を閉塞してあるので、一方向の枠組足場における床付き布枠が幅方向に偏って、建枠の幅と床付き布枠の幅との融通間隙に起因する隙間が最大になった場合でも、隙間に足を踏み込む可能性がなく、歩行者の安全確保が容易である。
【００１９】
請求項３に記載の考案による枠組足場用建枠は、相対向する２本の支柱部分の横側面の上下二箇所に、当該支柱部分の内側面の上下二箇所に相対向して突設されたブレース固定用ピンと同一レベルで且つ当該ブレース固定用ピンとは直角方向に突出したブレース固定用ピンを増設してあるので、建枠の向きを変えるだけで、一方向の枠組足場における端部の建枠としても、端部から二つ目の建枠としても用いることができる。即ち、直角方向のブレースを固定するためのピンを増設した一種類の建枠を、一方向の枠組足場における端部の建枠としても、端部から二つ目の建枠としても用いることができ、増設ピンの向きを変えた二種類の建枠を用意する場合に比して経済的であり、資材管理も容易である。
【図面の簡単な説明】
【００２０】
【図１】本考案の実施形態を示すコーナー用枠組足場の正面図である。
【図２】コーナー用枠組足場の平面図である。
【図３】コーナー用枠組足場の要部の概略斜視図である。
【図４】コーナー用枠組足場の要部の斜視図である。
【図５】コーナー用枠組足場の要部の横断平面図である。
【図６】コーナー用枠組足場に用いる布枠受材の説明図である。
【図７】従来例を示すコーナー用枠組足場の正面図である。
【図８】図７に示したコーナー用枠組足場の平面図である。
【図９】建地枠つなぎとダブルベースジャッキの説明図である。
【図１０】他の従来例を示すコーナー用枠組足場の正面図である。
【図１１】図１０に示したコーナー用枠組足場の平面図である。
【図１２】建地枠つなぎに代わる単管とクランプの説明図である。
【考案を実施するための形態】
【００２１】
以下、本考案の実施形態を図面に基づいて説明する。図１〜図５は、本考案に係るコーナー用枠組足場の一例を示す。このコーナー用枠組足場は、建物の出隅部（図２に一点鎖線ａで示す）又は入隅部（図２に二点鎖線ｂで示す）に沿って組み立てられるコーナー用枠組足場であって、平面視において互に直角に交差する枠組足場Ａ、Ｂのうち、一方向の枠組足場Ａにおける端部の建枠１ａと端部から二つ目の建枠１ｂに、直角方向の枠組足場Ｂにおける端部のブレース（交差筋交い）２Ｂを固定し、且つ、端部の床付き布枠３Ｂを前記一方向の枠組足場Ａにおける端部の建枠１ａと端部から二つ目の建枠１ｂ間に架設した布枠受材４で支持したものである。
【００２２】
１ｃは一方向の枠組足場Ａにおける一般部分の建枠、１ｄは直角方向の枠組足場Ｂにおける一般部分の建枠である。２Ａは一方向の枠組足場Ａにおけるブレース（交差筋交い）である。３Ａは一方向の枠組足場Ａにおける床付き布枠である。５はエンド手摺である。６は既製のベースジャッキであり、１４０ｍｍ角のベースプレートとその上に立設されたねじ軸と、ハンドル付きナット部材とで構成されている。直角方向の枠組足場Ｂにおける
端部の建枠（縦一列の建枠）とそれを支持する２個のベースジャッキは省略されており、省略された縦一列の建枠の代わりに、一方向の枠組足場Ａにおける端部の建枠１ａと端部から二つ目の建枠１ｂ間に布枠受材４を架設し、これらの布枠受材４で直角方向の枠組足場Ｂにおける端部の床付き布枠３Ｂを支持するように構成されている。
【００２３】
一方向の枠組足場Ａにおける端部の建枠１ａと端部から二つ目の建枠１ｂは、同じ形状のものであり、図４、図５に示すように、建枠の縦方向の構成要素であるところの相対向する２本の支柱部分の横側面の上下二箇所に、当該支柱部分の内側面の上下二箇所に相対向して突設されたブレース固定用ピン８ａと同一レベルで且つ当該ブレース固定用ピン８ａとは直角方向に突出したブレース固定用ピン８ｂを増設してある。そして、支柱部分の内側面から突出したブレース固定用ピン８ａに一方向の枠組足場Ａにおけるブレース２Ａを固定し、横側面から突出したブレース固定用ピン（増設したピン）８ｂに直角方向の枠組足場Ｂにおけるブレース２Ｂを固定してある。
【００２４】
布枠受材４は、図６に示すように、伸縮自在に構成した二重筒構造の水平管４ａとその両端に固着した一対のクランプ４ｂとで構成されている。そして、一方向の枠組足場Ａにおける端部の建枠１ａと端部から二つ目の建枠１ｂの支柱部分にクランプ４ｂで緊結するように構成されている。
【００２５】
図１、図２に示す７は補助布板であり、前記布枠受材４に係止させて、当該布枠受材４と一方向の枠組足場Ａにおける床付き布枠３Ａとの隙間を閉塞してある。従って、一方向の枠組足場Ａにおける床付き布枠３Ａが幅方向に偏って、建枠１ａ、１ｂの幅と床付き布枠３Ａの幅との融通間隙に起因する隙間が最大になった場合でも、隙間に足を踏み込む可能性がなく、歩行者の安全確保が容易である。
【００２６】
上記の構成によれば、平面視において互に直角に交差する枠組足場Ａ、Ｂのうち、一方向の枠組足場Ａにおける端部の建枠１ａと端部から二つ目の建枠１ｂに、直角方向の枠組足場Ｂにおける端部のブレース２Ｂを固定し、且つ、端部の床付き布枠３Ｂを前記一方向の枠組足場Ａにおける端部の建枠１ａと端部から二つ目の建枠１ｂ間に架設した布枠受材４で支持したので、互に直角に交差する枠組足場Ａ、Ｂが隙間なく連続することになる。
【００２７】
従って、枠組足場の外側面に貼り付けるメッシュシート、防音シート、防音パネル等々の養生膜体の納まりが良く、枠組足場の割付けに合わせて容易に美しく貼り付けることができきる。
【００２８】
しかも、直角方向の枠組足場Ｂにおける端部の縦一列の建枠が省略されることになり、建地枠つなぎ、ダブルベースジャッキ、単管の余剰長さ部分の裁断も不要であり、養生膜体の割付けが容易であることと相俟って、組立・解体の工数が減少し、施工性を著しく向上させることができる。
【産業上の利用可能性】
【００２９】
本考案のコーナー用枠組足場は、出隅部や入隅部の多い複雑な平面形状の建物や高層建物の新築工事、改修工事等に特に有効に利用できる。
【符号の説明】
【００３０】
Ａ  一方向の枠組足場
Ｂ  直角方向の枠組足場
Ｌ  距離
ａ  出隅部
ｂ  入隅部
１ａ、１ｂ、１ｃ、１ｄ  建枠
２Ａ  一方向の枠組足場におけるブレース
２Ｂ  直角方向の枠組足場におけるブレース
３Ａ  一方向の枠組足場における床付き布枠
３Ｂ  直角方向の枠組足場における床付き布枠
４  布枠受材
４ａ  水平管
４ｂ  クランプ
５  エンド手摺
６  ベースジャッキ
７  補助布板
８ａ  ブレース固定用ピン
８ｂ  ブレース固定用ピン（増設したピン）
９  建地枠つなぎ
１０  単管
１１  クランプ
１２  ダブルベースジャッキ
【図１】
0003155968.tif 000003
【図２】
0003155968.tif 000004
【図３】
0003155968.tif 000005
【図４】
0003155968.tif 000006
【図５】
0003155968.tif 000007
【図６】
0003155968.tif 000008
【図７】
0003155968.tif 000009
【図８】
0003155968.tif 000010
【図９】
0003155968.tif 000011
【図１０】
0003155968.tif 000012
【図１１】
0003155968.tif 000013
【図１２】
0003155968.tif 000014